【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
音場を表す複数の高次アンビソニック（ＨＯＡ）係数を取得するように構成された機器であって、前記機器は、
ベクトルを表す複数の重み値を示すデータをビットストリームから取得することと、前記重み値の各々が、前記ベクトルを表す、コードベクトルの重み付き和における複数の重みのうちのそれぞれの１つに対応する、前記ベクトルが球面調和領域において定義され、前記複数のＨＯＡ係数によって表される前記音場に存在する対応するオーディオオブジェクトの方向コンポーネントを表す、
前記ベクトルを再構成するために複数のコードベクトルのうちのどれを使用すべきかを示すデータを前記ビットストリームから取得することと、
前記ベクトルを再構成するために複数のコードベクトルのうちのどれを使用すべきかを示す前記データに基づいて前記コードベクトルのサブセットを選択することと、
前記重み値と前記コードベクトルの選択された前記サブセットとに基づいて前記ベクトルを再構成することと、
前記音場を再生するためにラウドスピーカによる再生のためのラウドスピーカフィードを、再構成された前記ベクトルに基づいて、レンダリングすることと、
を行うように構成された１つ以上のプロセッサと、
前記１つ以上のプロセッサに結合され、前記再構成されたベクトルを記憶するように構成されたメモリと
を備える、機器。
【請求項２】
前記１つ以上のプロセッサは、前記コードベクトルの選択された前記サブセットが前記重み値によって重み付けされる前記コードベクトルの選択された前記サブセットの重み付き和を決定するように更に構成された、請求項１に記載の機器。
【請求項３】
前記１つ以上のプロセッサが、
前記重み値の各々について、複数の重み付きコードベクトル中に含まれるそれぞれの重み付きコードベクトルを生成するために、前記重み値に前記コードベクトルのそれぞれ１つを乗算することと、
前記ベクトルを決定するために前記複数の重み付きコードベクトルを合計することと
を行うように更に構成された、請求項１に記載の機器。
【請求項４】
前記１つ以上のプロセッサが、
前記重み値の各々について、それぞれの重み付きコードベクトルを生成するために、コードベクトルの前記サブセット中の前記コードベクトルのそれぞれ１つを前記重み値に乗算することと、
前記ベクトルを決定するために前記複数の重み付きコードベクトルを合計することと
を行うように更に構成された、請求項１に記載の機器。
【請求項５】
前記１つ以上のプロセッサが、前記複数のＨＯＡ係数の分解バージョン中に含まれる前記ベクトルを表す複数の重み値を示す前記データを前記ビットストリームから取得するように更に構成され、前記重み値の各々が、前記ベクトルを表す、および、コードベクトルの前記セットを含むコードベクトルの前記重み付き和における前記複数の重みのうちの前記それぞれ１つに対応する、コードベクトルの前記セットが、方向ベクトルのセットと、直交方向ベクトルのセットと、正規直交方向ベクトルのセットと、擬正規直交方向ベクトルのセットと、擬直交方向ベクトルのセットと、方向基底ベクトルのセットと、直交ベクトルのセットと、正規直交ベクトルのセットと、擬正規直交ベクトルのセットと、擬直交ベクトルのセットと、基底ベクトルのセットとのうちの少なくとも１つを備える、請求項１に記載の機器。
【請求項６】
前記音場を再生するために前記ラウドスピーカフィードによって駆動される前記ラウドスピーカを更に備え、前記ラウドスピーカは、前記１つ以上のプロセッサに結合される、請求項１に記載の機器。
【請求項７】
前記１つ以上のプロセッサが、前記コードベクトルの選択された前記サブセットが前記重み値によって重み付けされる前記コードベクトルの選択された前記サブセットの重み付き和を決定するように更に構成された、請求項１に記載の機器。
【請求項８】
前記１つ以上のプロセッサが、
前記重み値の各々について、複数の重み付きコードベクトル中に含まれるそれぞれの重み付きコードベクトルを生成するために、前記重み値に前記コードベクトルの選択された前記サブセットのそれぞれ１つを乗算することと、
前記ベクトルを決定するために前記複数の重み付きコードベクトルを合計することと
を行うように更に構成された、請求項１に記載の機器。
【請求項９】
前記ラウドスピーカを更に備え、前記１つ以上のプロセッサが、前記ラウドスピーカに結合される、請求項１に記載の機器。
【請求項１０】
前記１つ以上のプロセッサが、前記再構成されたベクトルに基づいて前記ＨＯＡ係数を再構成し、前記ＨＯＡ係数をラウドスピーカフィードにレンダリングするように更に構成され、
前記機器が、前記ＨＯＡ係数によって表される音場を再生するために前記ラウドスピーカフィードによって駆動されるラウドスピーカを更に備える、
請求項１に記載の機器。
【請求項１１】
音場を表す複数の高次アンビソニック（ＨＯＡ）係数を取得する方法であって、前記方法は、
オーディオ復号機器が、ベクトルを表す複数の重み値を示すデータをビットストリームから取得することと、前記重み値の各々が、前記ベクトルを表すために使用されるコードベクトルの重み付き和における複数の重みのうちのそれぞれ１つに対応し、前記ベクトルが球面調和領域において定義され、前記複数のＨＯＡ係数によって表される前記音場に存在する対応するオーディオオブジェクトの方向コンポーネントを表す、
前記ベクトルを再構成するために複数のコードベクトルのうちのどれを使用すべきかを示すデータを前記ビットストリームから取得することと、
前記オーディオ復号機器が、前記ベクトルを再構成するために複数のコードベクトルのうちのどれを使用すべきかを示す前記データに基づいて前記コードベクトルのサブセットを選択することと、
前記オーディオ復号機器が、前記重み値と前記コードベクトルの選択された前記サブセットとに基づいて前記ベクトルを再構成することと、
前記オーディオ復号機器が、再構成された前記ベクトルに基づいて、前記音場を再生するためにラウドスピーカによる再生のためのラウドスピーカフィードをレンダリングすることと、
を備える、方法。
【請求項１２】
前記ベクトルを再構成することは、前記コードベクトルの選択された前記サブセットが前記重み値によって重み付けされる前記コードベクトルの選択された前記サブセットの重み付き和を決定することを備える、請求項１１に記載の方法。
【請求項１３】
前記ベクトルを再構成することが、
前記重み値の各々について、複数の重み付きコードベクトル中に含まれるそれぞれの重み付きコードベクトルを生成するために、前記重み値に前記コードベクトルの前記サブセットのそれぞれ１つを乗算することと、
前記ベクトルを決定するために前記複数の重み付きコードベクトルを合計することと
を備える、請求項１１に記載の方法。
【請求項１４】
前記重み値と前記コードベクトルの前記選択されたサブセットとに基づいて前記ベクトルを再構成することが、
前記重み値の各々について、複数の重み付きコードベクトル中に含まれるそれぞれの重み付きコードベクトルを生成するために、コードベクトルの前記サブセット中の前記コードベクトルのそれぞれ１つを前記重み値に乗算することと、
前記ベクトルを決定するために前記複数の重み付きコードベクトルを合計することと
を備える、請求項１１に記載の方法。
【請求項１５】
コードベクトルの前記セットが、方向ベクトルのセットと、直交方向ベクトルのセットと、正規直交方向ベクトルのセットと、擬正規直交方向ベクトルのセットと、擬直交方向ベクトルのセットと、方向基底ベクトルのセットと、直交ベクトルのセットと、正規直交ベクトルのセットと、擬正規直交ベクトルのセットと、擬直交ベクトルのセットと、基底ベクトルのセットとのうちの少なくとも１つを備える、請求項１に記載の方法。
【請求項１６】
再構成された前記ベクトルに基づいて前記ＨＯＡ係数を再構成することを更に備え、
前記ラウドスピーカフィードをレンダリングすることが、前記音場を再生するために前記ラウドスピーカによる再生のための前記ラウドスピーカフィードを、再構成された前記ＨＯＡ係数に基づいて、レンダリングすることを備える、請求項1に記載の方法。
【請求項１７】
コンピュータによって実行されたとき、前記コンピュータに、請求項１１乃至１６のいずれかの方法を行わせるコードを備える、コンピュータ可読媒体。